(57)【要約】【課題】  防火性能の向上した建具の提供。【解決手段】  縦框２，３と下框４とを備え、下框４は、長手方向の端面４２が縦框２，３の内周側面４３に当接しており、縦框２，３は、内周側面４３に切欠き５を有し、下框４内と縦框２，３内に亘って加熱発泡材６が切欠き５を通して連続して設けてあり、火災時に発泡した加熱発泡材６が下枠７との間を塞ぐ。【選択図】      図１
2020111888.tif 000002
【特許請求の範囲】
【請求項１】
縦框と下框とを備え、下框は、長手方向の端面が縦框の内周側面に当接しており、縦框は、内周側面に切欠きを有し、下框内と縦框内に亘って加熱発泡材が切欠きを通して連続して設けてあり、火災時に発泡した加熱発泡材が下枠との間を塞ぐことを特徴とする建具。
【請求項２】
縦框と下框とを備え、下框は、長手方向の端面が縦框の内周側面に当接しており、縦框は、下部の中空部内に加熱発泡材取付材を有し、下框と縦框内の加熱発泡材取付材とに加熱発泡材が設けてあり、火災時に発泡した加熱発泡材が下枠との間を塞ぐことを特徴とする建具。
【発明の詳細な説明】
【技術分野】
【０００１】
本発明は、防火性能を有する建具に関する。
【背景技術】
【０００２】
従来より、店舗等建物のフロントに用いられる建具として、上吊り引戸を備えたオートドア（自動ドア）が知られているが（例えば、非特許文献１参照）、このような建具について防火性能が求められていた。
【先行技術文献】
【非特許文献】
【０００３】
【非特許文献１】三協立山株式会社 三協アルミ社発行のカタログ「ＳＴフロント 総合カタログ」（カタログＮｏ．ＳＴＢ０４９９Ａ  ＫＹ．１６．０８−０４０）、２０１６年８月、ｐ．１５０−１５１
【発明の概要】
【発明が解決しようとする課題】
【０００４】
本発明は以上に述べた実情に鑑み、防火性能の向上した建具の提供を目的とする。
【課題を解決するための手段】
【０００５】
上記の課題を達成するために請求項１記載の発明による建具は、縦框と下框とを備え、下框は、長手方向の端面が縦框の内周側面に当接しており、縦框は、内周側面に切欠きを有し、下框内と縦框内に亘って加熱発泡材が切欠きを通して連続して設けてあり、火災時に発泡した加熱発泡材が下枠との間を塞ぐことを特徴とする。
【０００６】
請求項２記載の発明による建具は、縦框と下框とを備え、下框は、長手方向の端面が縦框の内周側面に当接しており、縦框は、下部の中空部内に加熱発泡材取付材を有し、下框と縦框内の加熱発泡材取付材とに加熱発泡材が設けてあり、火災時に発泡した加熱発泡材が下枠との間を塞ぐことを特徴とする。
【発明の効果】
【０００７】
請求項１記載の発明による建具は、縦框と下框とを備え、下框は、長手方向の端面が縦框の内周側面に当接しており、縦框は、内周側面に切欠きを有し、下框内と縦框内に亘って加熱発泡材が切欠きを通して連続して設けてあり、火災時に発泡した加熱発泡材が下枠との間を塞ぐので、縦框の下部及び下框と下枠との間から火炎や煙が連通するのを防ぐことができ、防火性能が向上する。縦框の内周側面に切欠きを設け、切欠きを通して加熱発泡材を下框内と縦框内に亘って連続して設けることで、加熱発泡材の取付けが容易である。
【０００８】
請求項２記載の発明による建具は、縦框と下框とを備え、下框は、長手方向の端面が縦框の内周側面に当接しており、縦框は、下部の中空部内に加熱発泡材取付材を有し、下框と縦框内の加熱発泡材取付材とに加熱発泡材が設けてあり、火災時に発泡した加熱発泡材が下枠との間を塞ぐので、縦框の下部及び下框と下枠との間から火炎や煙が連通するのを防ぐことができ、防火性能が向上する。縦框の下部の中空部内に加熱発泡材取付材を設けたので、縦框内に加熱発泡材を設けるのが容易である。
【図面の簡単な説明】
【０００９】
【図１】本発明の建具の一実施形態を示す縦断面図である。
【図２】同建具の横断面図である。
【図３】同建具の室内側正面図である。
【図４】引戸の下部を拡大して示す室内側正面図である。
【図５】縦框と下框との接合部の斜視図である。
【図６】無目を拡大して示す室内側正面図である。
【図７】無目の内部構造を示す室内側正面図である。
【図８】火災時における引戸下部の縦断面図である。
【図９】火災時における引戸戸先部の横断面図である。
【図１０】縦框と下框との接合部の他の実施形態を示す斜視図である。
【発明を実施するための形態】
【００１０】
以下、本発明の実施の形態を図面に基づいて説明する。図１〜７は、本発明の建具の第一実施形態であって、店舗のフロント用の建具に適用したものを示している。本建具は、建物の躯体に形成された開口部に設置されるものであって、図３に示すように、上枠２１と下枠７と左右の縦枠１０ａ，１０ｂとで矩形の枠が形成され、左右の縦枠１０ａ，１０ｂの上枠２１寄りの位置に無目１４を架設して枠内を上下に仕切ってあり、無目１４の上側の開口部にはガラス２２を嵌め込んで嵌め殺し窓が構成され、無目１４の下側の開口部には固定障子２３と上吊り引戸１とでオートドアが構成してある。
【００１１】
左右の縦枠１０ａ，１０ｂと上枠２１は、図１，２に示すように、見込壁２４の室内外方向中間部に外周側に凹む形でパネル取付溝２５を全長に有しており、無目１４より上側においては、そのパネル取付溝２５にガラス２２の縁部を挿入し、耐火性のシール材２６によりガラス２２をパネル取付溝２５に固定してある。図１に示すように、無目１４の上面にもパネル取付溝２５を有し、ガラス２２の下縁部をそのパネル取付溝２５に挿入し、耐火性のシール材２６によりガラス２２をパネル取付溝２５に固定してある。
【００１２】
無目１４より下側においては、図２に示すように、左右の縦枠１０ａ，１０ｂのパネル取付溝２５は、アルミ形材よりなるコ字形断面の目板２７を取付けて塞ぐことで引戸１取付け用としてある。無目１４より下側の開口部には、室内側から見て左半分の領域に固定障子２３が配置され、残りの開口部を上吊り引戸１にて開閉するようになっている。固定障子２３は、建具の見込寸法内の室外側寄りに設けてあり、上吊り引戸１は室内側寄りに設けてある。
【００１３】
固定障子２３は、図１，２に示すように、戸先框２８と召合せ框２９と下框３０とで三方を框組みしたものを枠内に固定し、戸先框２８と召合せ框２９と下框３０の内周側面と無目１４の下面とに形成されたパネル取付溝３１にガラス３２の縁部を嵌め込み、耐火性のシール材３３によりガラス３２をパネル取付溝３１に固定して構成してある。パネル取付溝内３１には、火災時に火災の熱により発泡・膨張する加熱発泡材３４が長手方向に沿って設けてある。召合せ框２９は、室内側面に加熱発泡材３５が長手方向に沿って設けてある。
【００１４】
上吊り引戸１は、図１〜３に示すように、上框３６と下框４と戸先框２と召合せ框３とを四周框組みし、その内側にガラス３７を嵌め込んで構成してある。上框３６と下框４は、図１に示すように、内周側に向けて開口するパネル取付溝３８とタッピングホール３９を有し、パネル取付溝３８内にガラス３７の縁部を挿入し、耐火性のシール材４０で固定してある。パネル取付溝３８内には、加熱発泡材４１が長手方向に沿って設けてある。上框３６と下框４は、図２，５に示すように、長手方向の端面４２が戸先框２と召合せ框３の内周側面４３に当接しており、外周側から戸先框２と召合せ框３に挿通したネジ（図示省略）を上框３６と下框４のタッピングホール３９に螺入して、縦横の框同士を連結してある。戸先框２と召合せ框３は、内周側面の室外側と室内側にパネル支持材４４を取付けることでパネル取付溝３８を形成し、パネル取付溝３８内にガラス３７の縁部を挿入して耐火性のシール材４０で固定してある。上框３６は、図１に示すように、無目１４内にのみ込ませてあって、無目１４に隠れて見えないようになっている。無目１４は、上框３６の室外側面に対向して加熱発泡材４５が長手方向に沿って設けてある。
【００１５】
下框４は、図１に示すように、下向きに開口した溝４６を有し、その溝４６内にアルミ形材よりなる下框補助材８を配置し、下方からのネジ４７で固定してある。下框補助材８は、図２，４，５に示すように、縦框（戸先框２及び召合せ框３）の内周側面に形成した切欠き５に通すことで、長手方向の端部が縦框２，３内までのび、長手方向の端面４８が縦框２，３の外周側の壁４９に当接している。下框補助材８は、図１に示すように、室外側と室内側とに下向きに開口したリップ溝形のホルダー部５０，５０が形成してあり、各ホルダー部５０に保持して加熱発泡材６が全長に設けてある。加熱発泡材６は、下枠７の上面に隙間をおいて対向している。下框補助材８には、室内外方向の中央位置に振れ止め５１が設けてあり、振れ止め５１は下枠７上面に長手方向に沿って形成された溝５２に挿入されている。
【００１６】
図２，３に示すように、室内側から見て右側の縦枠１０ａの内周側面には、縦枠補助材１１が長手方向に沿って設けてある。縦枠補助材１１は、アルミ形材で形成され、室外側及び室内側の見付壁５３ａ，５３ｂと見込壁５４とで上吊り引戸１の戸先側が挿入される溝１２を形成しており、見込壁５４を縦枠１０ａの内周側面に当接してネジ５５で固定してある。室外側の見付壁５３ａには室内側に向けて開口したリップ溝形のホルダー部５６が形成してあり、室内側の見付壁５３ｂには室外側に向けて開口したリップ溝形のホルダー部５６が形成してあり、各ホルダー部５６，５６に保持して加熱発泡材１３，１３が縦枠補助材１１の全長に設けてある。各加熱発泡材１３，１３は、上吊り引戸１の戸先側端部の室外側面と室内側面とに隙間をおいて対向している。
【００１７】
火災が発生すると、図８に示すように、下框補助材８に取付けた加熱発泡材６，６が火災の熱で下向きに発泡・膨張し、下枠７上面との隙間が塞がれる。下框補助材８は、縦框２，３の内周側面に形成した切欠き５に通して縦框２，３の内部にのばしてあり、縦框２，３内と下框４内に亘って加熱発泡材６が連続して設けてあるので、下框４と下枠７との隙間だけでなく、縦框２，３と下枠７との隙間まで発泡した加熱発泡材６で連続して塞ぐことができる。これにより上吊り引戸１の下端と下枠７との間から火炎や煙が連通するのを防ぐことができる。
【００１８】
また本建具は、図９に示すように、火災時に縦枠補助材１１の溝１２内に設けた加熱発泡材１３，１３が発泡・膨張し、上吊り引戸１の戸先部を発泡した加熱発泡材１３，１３で室外側と室内側から挟み込んで保持する。これにより、上吊り引戸１の戸先と縦枠１０ａの間から火炎や煙が連通することを防止できる。
【００１９】
さらに本建具は、火災時に固定障子２３のパネル取付溝３１内に設けた加熱発泡材３４（図１，２参照）と上吊り引戸１のパネル取付溝３８内に設けた加熱発泡材４１（図１，２参照）が発泡・膨張し、パネル取付溝３１，３８内の隙間を塞ぐので、固定障子２３の框２８，２９，３０とガラス３２との間、上吊り引戸１の框２，３，４，３６とガラス３７との間から火炎や煙が連通するのを防ぐことができる。
さらに本建具は、火災時に固定障子２３の召合せ框２９の室内側面に設けた加熱発泡材３５（図２参照）が発泡・膨張して、固定障子２３の召合せ框２９と上吊り引戸１の召合せ框３との間の隙間を塞ぐので、固定障子２３と上吊り引戸１の召合せ部から火炎や煙が連通するのを防ぐことができる。
さらに本建具は、無目１４内に上吊り引戸１の上框３６の室外側面に対向して設けた加熱発泡材４５（図１参照）が発泡・膨張し、無目１４と上框３６間の隙間を塞ぐので、上吊り引戸１の上部と無目１４の間から火炎や煙が連通するのを防ぐことができる。
【００２０】
上述の実施形態では下框４内に下框補助材８を設け、下框補助材８に加熱発泡材６を取付けていたが、下框４自体に加熱発泡材６が取付く部分を設け、そこに加熱発泡材６を直接取付けることもできる。
【００２１】
図１０は、上吊り引戸１の下部への加熱発泡材６の取付け方の他の実施形態を示している。この実施形態は、縦框２，３の内周側面に切欠きが形成されておらず、下框補助材８は下框４内に納まっており、下框補助材８に加熱発泡材６が取付けてある。縦框２，３内の下部には、下框補助材８とは別に加熱発泡材取付材９が設けてあり、加熱発泡材取付材９の下面に加熱発泡材６が取付けてある。
【００２２】
上記実施形態の場合も、火災時に下框４内に設けた加熱発泡材６と縦框２，３内に設けた加熱発泡材６が発泡・膨張し、下枠７との隙間を塞ぐので、上吊り引戸１の下端と下枠７との間から火炎や煙が連通するのを防ぐことができる。この実施形態においても、下框４自体に加熱発泡材６が取付く部分を設け、そこに加熱発泡材６を直接取付けることができる。
【００２３】
無目１４は、図１に示すように、上壁５７と室外側壁５８と下壁５９とを有し、室内側と下面の室内側の半分が開放した形になっており、室内側の開放部を着脱自在な浅い箱型のカバー６０で塞いであり、下面の室内側の開放部より上吊り引戸１の上部を挿入してある。
無目１４の内部には、引戸支持材１５が設けてある。引戸支持材１５は、アルミ形材で形成したものであり、板状のベース部６１と、ベース部６１の下部より室内側に向けて突出する吊りレール部１９を一体に有しており、吊りレール部１９上に上吊り引戸１に取付けた吊車２０が係合している。引戸支持材１５は、図７に示すように、長手方向の両端部に取付けたブラケット６２，６２で左右の縦枠１０ａ，１０ｂに取付けてある。また引戸支持材１５は、図１に示すように、無目１４の下部に形成された段部６３と引戸支持材１５の下面間にスペーサー６４を配置することで、下からも支持されている。
引戸支持材１５は、図１に示すように、ベース部６１の上部に引戸１を駆動するエンジン６５の取付部６６を有し、取付部６６にエンジン６５を取付けてある。エンジン６５は、モーター６７とモーター６７の軸に取付けた駆動プーリー６８を有している。エンジン６５は、図７に示すように、ベース部６１上側の室内側から見て右側の端部に位置しており、左側の端部には従動プーリー６９が取付けてあり、駆動プーリー６８と従動プーリー６９間にタイミングベルト７０が掛け渡してあり、タイミングベルト７０と上吊り引戸１とが図示しない連結材で連結してある。モーター６７により駆動プーリー６８が回転すると、タイミングベルト７０が動き、それにつれて上吊り引戸１が吊りレール部１９に沿って移動する。
【００２４】
図１に示すように、無目１４の内部には室外側遮炎板１６と上遮炎板１８と室内側遮炎板１７が設けてある。各遮炎板１６，１７，１８は、スチール等の金属板で形成してある。
室外側遮炎板１６と上遮炎板１８とは、一枚の金属板を折り曲げて一体で形成してあり、上遮炎板１８の室内側端部に上向きに折り曲げた取付片７１を有し、取付片７１を無目１４の上壁５７に形成された垂下片７２の室内側に重ね、室内側からのネジ７３で固定してある。さらに上遮炎板１８は、無目１４上面のパネル取付溝２５の溝底部にネジ７４で固定してある。上遮炎板１８は、引戸支持材１５と、引戸支持材１５に取付けたエンジン６５等の駆動部品、及び吊車２０を上方から覆っている。
室外側遮炎板１６は、無目１４の室外側壁５８と引戸支持材１５のベース部６１との間に設けてあり、室外側遮炎板１６の下端は引戸支持材１５よりも下方の無目１４の段部６３付近までのびている。室外側遮炎板１６は、引戸支持材１５と吊車２０を室外側から覆っている。
室内側遮炎板１７は、上部を上遮炎板１８の取付片７１の室内側に重ね、室内側からのネジ７５で固定してある。また、室内側遮炎板１７は、図６に示すように、縦枠１０ａ，１０ｂにもネジ７６で取付けてある。室内側遮炎板１７は、図１に示すように、上遮炎板１８の取付片７１に重なる位置から上吊り引戸１の上框３６の室内側に重なる位置までのびており、引戸支持材１５と、引戸支持材１５に取付けたエンジン６５等の駆動部品、及び吊車２０を室内側から覆っている。
無目１４の室内側に取付けたカバー６０の下壁の上面には、加熱発泡材７７が長手方向に沿って取付けてある。
【００２５】
このように本建具は、無目１４内に金属製の室外側遮炎板１６と室内側遮炎板１７が設けてあり、両遮炎板１６，１７で引戸支持材１５と引戸の吊車２０を室外側と室内側から覆っていることで、火災時に無目１４が室内側又は室内側から熱せられたときに、上吊り引戸１の吊車２０と引戸支持材１５が遮炎板１６，１７により火炎から保護されるので、上吊り引戸１が脱落したりするのを防ぐことができ、防火性能が向上する。
さらに無目１４内には上遮炎板１８が設けてあり、引戸支持材１５と吊車２０を上方からも覆ってあることで、防火性能が一層向上する。
さらに本建具は、火災時に無目１４の室内側のカバー６０の下部に設けた加熱発泡材７７（図１参照）が発泡・膨張し、室内側遮炎板１７との間の隙間を塞ぎ、室内側で火災が発生したときに無目１４内に火炎が侵入するのを防ぐことができる。
無目１４の室内側のカバー６０は着脱自在で、室内側遮炎板１７は室内側からネジ７５．７６を外すことで取外すことができ、メンテナンスが容易に行える。
【００２６】
以上に述べたように本建具（図２，４，５に示す実施形態）は、縦框（戸先框２及び召合せ框３）と下框４とを備え、下框４は、長手方向の端面４２が縦框２，３の内周側面４３に当接しており、縦框２，３は、内周側面４３に切欠き５を有し、下框４内と縦框２，３内に亘って加熱発泡材６が切欠き５を通して連続して設けてあり、火災時に発泡した加熱発泡材６が下枠７との間を塞ぐので（図８参照）、縦框２，３の下部及び下框４と下枠７との間から火炎や煙が連通するのを防ぐことができ、防火性能が向上する。縦框２，３の内周側面４３に切欠き５を設け、切欠き５を通して加熱発泡材６を下框４内と縦框２，３内に亘って連続して設けることで、加熱発泡材６の取付けが容易である。
加熱発泡材取付材（下框補助材）８を縦框２，３内と下框４内に跨って連続して設けたことで、加熱発泡材６を下框４内と縦框２，３内に亘って連続して設けるのが容易である。
【００２７】
本建具（図１０に示す実施形態）は、縦框２，３と下框４とを備え、下框４は、長手方向の端面４２が縦框２，３の内周側面４３に当接しており、縦框２，３は、下部の中空部内に加熱発泡材取付材９を有し、下框４と縦框２，３内の加熱発泡材取付材９とに加熱発泡材６が設けてあり、火災時に発泡した加熱発泡材６が下枠７との間を塞ぐので、縦框２，３の下部及び下框４と下枠７との間から火炎や煙が連通するのを防ぐことができ、防火性能が向上する。縦框２，３の下部の中空部内に加熱発泡材取付材９を設けたので、縦框２，３内に加熱発泡材６を設けるのが容易である。
【００２８】
また本建具は、引戸１と縦枠１０ａと縦枠補助材１１とを備え、縦枠補助材１１は、縦枠１０ａの内周側に設けてあり、引戸１の戸先側が挿入される溝１２を有し、溝１２内の引戸１の室外側面及び室内側面に対向する面に加熱発泡材１３，１３が設けてあることで、火災時に引戸１の戸先部が縦枠補助材１１の溝１２内で発泡した加熱発泡材１３，１３により室外側及び室内側から挟み込んで保持されるので（図９参照）、引戸１の戸先と縦枠１０ａの間から火炎や煙が連通することを防止でき、防火性能が向上する。縦枠１０ａの内周側面に取付く縦枠補助材１１に引戸１の戸先側が挿入される溝１２を形成し、溝１２内に加熱発泡材１３，１３を取付けるようにしたことで、組立性が良い。
縦枠１０ａは、パネル取付溝２５を目板２７で塞ぐことで引戸１取付け用としたものなので、嵌め殺し窓部と引戸１で開閉する部分とを上下に並べて配置するのが容易である。
【００２９】
また本建具は、横枠（無目）１４内に引戸支持材１５と金属製の遮炎板（室外側遮炎板１６，室内側遮炎板１７）が設けてあり、引戸支持材１５は、吊りレール部１９を有し、縦枠１０ａ，１０ｂ又は横枠１４に取付けてあり、遮炎板１６，１７は、縦枠１０ａ，１０ｂ又は横枠１４に取付けてあり、少なくとも上吊り引戸１の吊車２０と引戸支持材１５を室外側と室内側から覆っていることで、火災時に横枠１４が室内側又は室内側から熱せられたときに、上吊り引戸１の吊車２０と引戸支持材１５が遮炎板１６，１７により火炎から保護されるので、上吊り引戸１が脱落したりするのを防ぐことができ、防火性能が向上する。
さらに本建具は、無目１４内に上遮炎板１８を有し、上吊り引戸１の吊車２０と引戸支持材１５を上方と室外側と室内側の三方から覆っているので、防火性能がより一層向上する。
引戸支持材１５は、引戸１を駆動するエンジン６５の取付部６６を有するので、エンジン６５を安定して取付けることができる。
また本建具は、引戸支持材１５のベース部６１と反対側の遮炎板（室内側遮炎板１７）が着脱自在なので、当該室内側遮炎板１７を取外すことでメンテナンスが容易に行える。
【００３０】
本発明は以上に述べた実施形態に限定されない。引戸は、上吊り引戸に限らず、下枠のレール又は溝を下框に取付けた戸車で走行するものであってもよい。加熱発泡材は、下框に直接取付けることもできる。加熱発泡材は、必ずしも下向きに取付けてなくてもよく、例えば室内側や室内側に向けて取付けてあって、火災時に下枠のレールとの間の隙間を塞ぐものであってもよい。本発明は、オートドアに限らず、戸や障子を備えるあらゆる建具に適用することができる。
【符号の説明】
【００３１】
１  上吊り引戸（引戸）
２  戸先框（縦框）
３  召合せ框（縦框）
４  下框
５  切欠き
６  加熱発泡材
７  下枠
８  下框補助材（下框）
９  加熱発泡材取付材
１０ａ，１０ｂ  縦枠
１１  縦枠補助材
１２  溝
１３  加熱発泡材
１４  無目（横枠）
１５  引戸支持材
１６  室外側遮炎板（遮炎板）
１７  室内側遮炎板（遮炎板）
１８  上遮炎板（遮炎板）
１９  吊りレール部
２０  吊車
【図１】
2020111888.tif 000003
【図２】
2020111888.tif 000004
【図３】
2020111888.tif 000005
【図４】
2020111888.tif 000006
【図５】
2020111888.tif 000007
【図６】
2020111888.tif 000008
【図７】
2020111888.tif 000009
【図８】
2020111888.tif 000010
【図９】
2020111888.tif 000011
【図１０】
2020111888.tif 000012